(57)【要約】      （修正有）【課題】構成や組み立てが従来より行いやすい電子装置のパッケージケースを提供する。【解決手段】第１の電子装置２１が取り付けられる第１の設置面３２２を有している第１のケース部３０と、第２の電子装置２２が取り付けられる第２の設置面４２２を有している第２のケース部４０とが、第１の設置面３２２と第２の設置面４２２とが互いに向き合うように嵌め合わせられて、内部に第１の電子装置２１と第２の電子装置２２とが収容される収容空間が画成される。更に、収容空間に収容される第１の電子装置２１と電気的に接続できると共に、外側に露出するように取り付けられている少なくとも１つの第１の端子３１と、収容空間に収容される第２の電子装置２２と電気的に接続できると共に、外側に露出するように取り付けられている少なくとも１つの第２の端子４１とを備える。【選択図】図２
0003180787.tif 000002
【実用新案登録請求の範囲】
【請求項１】
第１の電子装置が取り付けられる第１の設置面を有している第１のケース部と、第２の電子装置が取り付けられる第２の設置面を有している第２のケース部とが、前記第１の設置面と前記第２の設置面とが互いに向き合うように嵌め合わせられて、内部に前記第１の電子装置と前記第２の電子装置とが収容される収容空間が画成され、更に
前記収容空間に収容される前記第１の電子装置と電気的に接続できると共に、外側に露出するように取り付けられている少なくとも１つの第１の端子と、
前記収容空間に収容される前記第２の電子装置と電気的に接続できると共に、外側に露出するように取り付けられている少なくとも１つの第２の端子とを備えている電子装置のパッケージケース。
【請求項２】
前記第１のケース部は、前記第１の設置面をその一面とする第１の設置台と、該第１の設置台の周縁から前記第２の設置面側へ延びるように突起する第１の周壁と、前記第１の周壁から外側へ張り出す少なくとも１つの延伸台とを有するように形成されており、
前記第２のケース部は、前記第２の設置面をその一面とする第２の設置台と、該第２の設置台の周縁から前記第１の設置面側へ延びるように突起すると共に、前記第１の周壁を囲む第２の周壁とを有するように形成されていることを特徴とする請求項１に記載の電子装置のパッケージケース。
【請求項３】
前記第２の周壁の先端は前記延伸台に面しており、更に、前記第２の端子は、前記第２の周壁の前記延伸台に面する先端から突出して一つの前記延伸台を貫通するように構成されていることを特徴とする請求項２に記載の電子装置のパッケージケース。
【請求項４】
前記第２の端子は、前記第２の周壁の先端から前記延伸台側へ延びるように突出する第１の接続部と、一端が前記第１の接続部に当接することができるように前記延伸台の前記第２の周壁の先端に臨む一面に露出し、他端が前記延伸台の前記一面の反対側から突出する第２の接続部とからなるように構成されていることを特徴とする請求項２に記載の電子装置のパッケージケース。
【請求項５】
前記第１の端子は、前記第１の周壁から前記第１の設置台の反対側へ突出するように構成されており、
前記第２の周壁の先端に前記第１の端子を受け入れる受入れ溝が形成されていることを特徴とする請求項１に記載の電子装置のパッケージケース。
【請求項６】
前記第１の周壁と前記第２の周壁とにおける一者に、他の一者側へ突起する係止突起が形成され、該他の一者に前記係止突起を受け入れる係止槽が形成されていることを特徴とする請求項２に記載の電子装置のパッケージケース。
【請求項７】
前記延伸台は複数あり、前記第２の周壁の先端に、隣合う２つの前記延伸台の間の隙間に挿し込んで係止される係止ブロックが形成されていることを特徴とする請求項２に記載の電子装置のパッケージケース。
【考案の詳細な説明】
【技術分野】
【０００１】
本考案は電子装置のパッケージケースに関し、特に、構成や組み立てが従来より行いやすい電子装置のパッケージケースに関する。
【背景技術】
【０００２】
電子装置のパッケージケースは、電子装置をケースの中に収容するためのものであり、収容する電子装置の機能や構造の複雑さによって、例えば図１に示されるように構成される場合がある。
【０００３】
図１に示される従来の電子装置のパッケージケースは、パーツ１０の数量が多い電子装置を収容するため、第１の基板１１の上方に複数の第２の基板１２が設置されている多層構造が用いられ、そしてこの多層構造は収容ケース１４の収容空間１４１内に収容されている。
【考案の概要】
【考案が解決しようとする課題】
【０００４】
多層構造はパッケージケース内の空間を効率的に利用することができるが、組み立てには時間がかかるため、大量生産ではコストダウンしにくい問題がある。
【０００５】
このような問題を解決するため、本考案は、構成や組み立てが従来より行いやすい電子装置のパッケージケースの提供を目的とする。
【課題を解決するための手段】
【０００６】
上記目的を達成すべく、本考案は、第１の電子装置が取り付けられる第１の設置面を有している第１のケース部と、第２の電子装置が取り付けられる第２の設置面を有している第２のケース部とが、前記第１の設置面と前記第２の設置面とが互いに向き合うように嵌め合わせられて、内部に前記第１の電子装置と前記第２の電子装置とが収容される収容空間が画成され、更に、前記収容空間に収容される前記第１の電子装置と電気的に接続できると共に、外側に露出するように取り付けられている少なくとも１つの第１の端子と、前記収容空間に収容される前記第２の電子装置と電気的に接続できると共に、外側に露出するように取り付けられている少なくとも１つの第２の端子とを備えている電子装置のパッケージケースを提供する。
【０００７】
上記電子装置のパッケージケースにおいて、前記第１のケース部は、前記第１の設置面をその一面とする第１の設置台と、該第１の設置台の周縁から前記第２の設置面側へ延びるように突起する第１の周壁と、前記第１の周壁から外側へ張り出す少なくとも１つの延伸台とを有するように形成されており、前記第２のケース部は、前記第２の設置面をその一面とする第２の設置台と、該第２の設置台の周縁から前記第１の設置面側へ延びるように突起すると共に、前記第１の周壁を囲む第２の周壁とを有するように形成されるように構成されることが好ましい。
【０００８】
上記電子装置のパッケージケースにおいて、前記第２の周壁の先端は前記延伸台に面しており、更に、前記第２の端子は、前記第２の周壁の前記延伸台に面する先端から突出して一つの前記延伸台を貫通するように構成されていることが好ましい。
【０００９】
上記電子装置のパッケージケースにおいて、前記第２の端子は、前記第２の周壁の先端から前記延伸台側へ延びるように突出する第１の接続部と、一端が前記第１の接続部に当接することができるように前記延伸台の前記第２の周壁の先端に臨む一面に露出し、他端が前記延伸台の前記一面の反対側から突出する第２の接続部とからなるように構成されていることが好ましい。
【００１０】
上記電子装置のパッケージケースにおいて、前記第１の端子は、前記第１の周壁から前記第１の設置台の反対側へ突出するように構成されており、前記第２の周壁の先端に前記第１の端子を受け入れる受入れ溝が形成されていることが好ましい。
【００１１】
上記電子装置のパッケージケースにおいて、前記第１の周壁と前記第２の周壁とにおける一者に、他の一者側へ突起する係止突起が形成され、該他の一者に前記係止突起を受け入れる係止槽が形成されていることが好ましい。
【００１２】
上記電子装置のパッケージケースにおいて、前記延伸台は複数あり、前記第２の周壁の先端に、隣合う２つの前記延伸台の間の隙間に挿し込んで係止される係止ブロックが形成されていることが好ましい。
【考案の効果】
【００１３】
上記構成により、本考案は第１の電子装置と第２の電子装置を互いに向き合う第１の設置面と第２の設置面とに設置するので、構成や組み立てが従来より行いやすい電子装置のパッケージケースを提供することができる。
【図面の簡単な説明】
【００１４】
【図１】従来の電子装置のパッケージケースの構成例が示されている分解図である。
【図２】本考案の電子装置のパッケージケースの第１の実施形態の構成が示されている分解図である。
【図３】本考案の電子装置のパッケージケースの第１の実施形態の構成が示されている一部拡大斜視図である。
【図４】本考案の電子装置のパッケージケースの第１の実施形態の構成が示されている断面図である。
【図５】本考案の電子装置のパッケージケースの第２の実施形態の構成が示されている分解図である。
【図６】本考案の電子装置のパッケージケースの第３の実施形態の構成が示されている分解図である。
【図７】本考案の電子装置のパッケージケースの第４の実施形態の構成が示されている一部拡大斜視図である。
【考案を実施するための形態】
【００１５】
以下は図面に参照しながら、本考案の各好ましい実施形態について詳しく説明する。
【００１６】
図２および図４に本考案の第１の好ましい実施形態が示されており、図示されているように、本考案の第１の好ましい実施形態の電子装置のパッケージケースは、第１のケース部３０と、第２のケース部４０と、第１の端子３１と、第２の端子４１とを主な構成として備えている。
【００１７】
第１のケース部３０は、複数の第１の電子装置２１が取り付けられている第１の設置面３２２を有し、第２のケース部４０は複数の第２の電子装置２２が取り付けられている第２の設置面４２２を有している。更に、第１のケース部３０と第２のケース部４０は、それぞれが有する第１の設置面３２２と第２の設置面４２２とが互いに向き合うように嵌め合わせられている。
【００１８】
第１のケース部３０は、内部に複数の第１の電子装置２１が収容される収容空間５が画成されるように、第１の設置面３２２をその一面とする第１の設置台３２と、該第１の設置台３２の周縁から第２の設置面４２２側へ延びるように突起する第１の周壁３３とを有する上、第１の周壁３３から外側へ張り出す複数の延伸台３４を有している。更に、収容空間５に収容される複数の第１の電子装置２１と電気的に接続すると共に、外側に露出する複数の第１の端子３１が取り付けられている。この実施形態において、複数の第１の端子３１それぞれの両端は、第１の周壁３３の先端３３３と、第１の設置台３２の第１の設置面３２２の反対側の面とから突出するように配置されている。更に、図３に示されているように、第１の周壁３３には、各第１の端子３１に対応して、第１の端子３１が突出する部分に隣接する切り込み３３６が第１の周壁３３の先端３３３から第１の周壁３３の内壁面３３１に渡って形成されている。
【００１９】
第２のケース部４０は、内部に複数の第２の電子装置２２が収容される収容空間５が画成されるように、第２の設置面４２２をその一面とする第２の設置台４２と、該第２の設置台４２の周縁から第１の設置面３２２側へ延びるように突起すると共に、第１の周壁３３を囲む第２の周壁４３とを有するように形成されている。更に、第２のケース部４０は、収容空間５に収容される第２の電子装置２２と電気的に接続すると共に、第２の周壁４３の先端４３１から突出してから延伸台３４を挿通して外側に露出するように取り付けられている複数の第２の端子４１を備えている。
【００２０】
即ち、第１のケース部３０は先端４３１に第２の端子４１が突出する第２の周壁４３に対応して向かい合う延伸台３４を有するように形成されていると共に、この第２の周壁４３に向かい合う延伸台３４には、複数の第２の端子４１が挿通することができる貫通孔３４１が開けられている。
【００２１】
また、第２のケース部４０の第２の周壁４３の内壁面４３５側に、各第２の端子４１と第２の電子装置２２とを電気的に接続させる線路が通過する線路溝４３７が凹設されていると共に、第１の周壁３３の先端３３３に当接できる当接ブロック４３４が内側へ突起するように形成されている。
【００２２】
更に、この実施形態において、第１の周壁３３には係止突起３５が該第１の周壁３３を囲む第２の周壁４３へ突起するように形成され、そして第２の周壁４３には係止突起３５に対応して係止突起３５を受け入れる係止槽４３８が形成されている。
【００２３】
この構成により、本考案は第１の電子装置と第２の電子装置を互いに向き合う第１の設置面と第２の設置面とに設置するので、構成や組み立てが従来より行いやすい電子装置のパッケージケースを提供することができる。
【００２４】
図５では本考案の第２の実施形態が示されている。図示のように、本考案の第２の実施形態は第１の実施形態とほぼ同じ構成になっているが、第２のケース部４０の第２の周壁４３の先端４３１に係止ブロック４４が２つ形成され、第１のケース部３０には２つの係止ブロック４４の位置に対応して、各係止ブロック４４がそれぞれ隣合う２つの延伸台３４の間にある隙間３２６に挿し込まれて係止されることができるように構成されている。
【００２５】
図６では本考案の第３の実施形態が示されている。図示のように、本考案の第３の実施形態は第１の実施形態とほぼ同じ構成になっているが、この第３の実施形態において、各第２の端子４１は、それぞれ第２の周壁４３の先端４３１から第１のケース部３０の延伸台３４側へ延びるように突出する第１の接続部４１３と、延伸台３４に取り付けられていて一端が第１の接続部４１３に面して該第１の接続部４１３に当接すると電気的に接続することができる接続面４１２を有していると共に、他端が延伸台３４の第１の接続部４１３に面する側の反対側へ延伸する第２の接続部４１１とからなるように構成されており、延伸台３４に取り付けられている第２の接続部４１１は、それぞれ一端が第１の接続部４１３に当接して電気的に接続できるように延伸台３４の第２の周壁４３の先端４３１に臨む一面に露出し、他端が延伸台３４の前記一面の反対側から突出して各第１の端子３１と平行するように延伸するようになっている。
【００２６】
図７では本考案の第４の実施形態が示されている。図示のように、本考案の第４の実施形態における各第１の端子３１は、第１の周壁３３の外壁面３２１から突出するように構成されており、そして第２の周壁４３の先端４３１に各第１の端子３１を受け入れる受入れ溝４３２が形成されおり、更に、第２の周壁４３の外壁面４３９から突出する各第２の端子４１は、折り曲がってから各第１の端子３１と同じ方向へ延伸するようになっている。
【産業上の利用可能性】
【００２７】
上記構成により、本考案は第１の電子装置と第２の電子装置を互いに向き合う第１の設置面と第２の設置面とに設置するので、構成や組み立てが従来より行いやすい電子装置のパッケージケースを提供することができる。
【符号の説明】
【００２８】
２１  第１の電子装置
２２  第２の電子装置
３０  第１のケース部
３１  第１の端子
３２  第１の設置台
３２２  第１の設置面
３２６  隙間
３３  第１の周壁
３３１  内壁面
３３３  第１の周壁の先端
３３６  切り込み
３４  延伸台
３４１  貫通孔
３５  係止突起
４０  第２のケース部
４１  第２の端子
４１１  第２の接続部
４１２  接続面
４１３  第１の接続部
４２  第２の設置台
４２２  第２の設置面
４３  第２の周壁
４３１  第２の周壁の先端
４３２  受入れ溝
４３４  当接ブロック
４３５  内壁面
４３７  線路溝
４３８  係止槽
４３９  外壁面
４４  係止ブロック
５  収容空間
【図１】
0003180787.tif 000003
【図２】
0003180787.tif 000004
【図３】
0003180787.tif 000005
【図４】
0003180787.tif 000006
【図５】
0003180787.tif 000007
【図６】
0003180787.tif 000008
【図７】
0003180787.tif 000009